(57)【特許請求の範囲】
【請求項１】
前後又は左右方向に所要の間隔を設けて立設された対向する少なくとも２隅部の平面視Ｌ字形コーナーパネルにおける互いに対向するパネルの上端部同士を、レールにより連結するとともに、その互いに対向するパネル間に形成された開口部を、レールに吊支され、かつ開放時において前記対向するパネルにおける一方又は両方の前後あるいは左右いずれか一方の面に沿う位置まで左右又は前後方向に移動可能な複数の可動パネルにより閉塞することにより、前後左右の面が囲まれ、かつ少なくとも１面が開放可能な空間を形成しうるようにし、前後又は左右に対向するパネルの中間部より、中間パネルを内向き対向状に設け、これら両中間パネル間の開口部を、レールに吊支された複数の可動パネルにより閉塞するようにしたことを特徴とする空間形成用ローパーティション装置。
【請求項２】
レールを前後２条としてそのそれぞれに複数の可動パネルを、開放時において前後の可動パネル同士が重なるように吊支した請求項１に記載の空間形成用ローパーティション装置。
【請求項３】
パネルと複数の可動パネルとの左右長をほぼ等長として、開放時においてパネルの前後又は左右いずれかの一方の面にほぼ完全に重なるようにした請求項１または２に記載の空間形成用ローパーティション装置。
【請求項４】
パネル又は可動パネルの下部適所に、可動パネルの移動を案内する案内手段を設けた請求項１ないし３のいずれかに記載の空間形成用ローパーティション装置。
【発明の詳細な説明】
【０００１】
【発明の属する技術分野】
本発明は、部屋等の空間を形成するローパーティションに係り、特に空間の形成及び変更を容易としたローパーティション装置に関する。
【０００２】
【従来の技術】
大きなフロアに簡易な会議室や応接室等の部屋空間を形成する際には、ローパーティションが用いられることが多い。
【０００３】
図８は、従来のローパーティションにより部屋空間を形成した例を示すもので、同形をなすローパネル単体ａ同士を連続して矩形枠状に連結することにより、４面がパネルにより囲まれた所要大きさの空間を形成するとともに、一面にローパネル単体１枚分の出入口を開口して、その部分に開き扉ｂを取付けている。
【０００４】
【発明が解決しようとする課題】
上述のような、ローパネル単体ａを連続して連結する構造のローパーティションでは、ローパネル単体ａ同士の連結や取外しが面倒であるため、空間の形成や、一旦所要大きさの空間を形成した後においてその変更を容易にできない問題がある。
【０００５】
また、開き扉ｂの大きさもローパネル単体１枚分の大きさに限られるため、開放感に乏しく、かつ大きな什器類の搬出入が困難である。
【０００６】
さらに、部屋空間全体が同形のローパネル単体ａにより囲まれるため、圧迫感がある。
【０００７】
本発明は、上記問題点を解決するためになされたもので、空間の形成や変更が容易であり、かつパネル壁面の少なくとも一面を大きく開閉し得るようにすることにより、開放感に優れる空間形成用ローパーティション装置を提供することを目的としている。
【０００８】
【課題を解決するための手段】
上記目的を達成するために、本発明の空間形成用ローパーティション装置は、前後又は左右方向に所要の間隔を設けて立設された対向する少なくとも２隅部の平面視Ｌ字形コーナーパネルにおける互いに対向するパネルの上端部同士を、レールにより連結するとともに、その互いに対向するパネル間に形成された開口部を、レールに吊支され、かつ開放時において前記対向するパネルにおける一方又は両方の前後あるいは左右いずれか一方の面に沿う位置まで左右又は前後方向に移動可能な複数の可動パネルにより閉塞することにより、前後左右の面が囲まれ、かつ少なくとも１面が開放可能な空間を形成しうるようにし、前後又は左右に対向するパネルの中間部より、中間パネルを内向き対向状に設け、これら両中間パネル間の開口部を、レールに吊支された複数の可動パネルにより閉塞するようにしたことを特徴としている。
上記構成の本発明によると、複数の可動パネルをレールに吊支するだけでよいので、従来の連結構造のローパーティションに比して組立てや取外しが容易となる。
また、レールの長さや可動パネルの大きさを変えることにより、ローパーティションの左右長を自在に変更することができる。
さらに、可動パネルは開閉扉としての作用を有しているため、開放時において大きな出入口が形成され、大きな什器類の搬出入が可能となる。そして空間を２分割したり大きくしたりすることを簡単に行うことができる。
【０００９】
上記空間形成用ローパーティション装置において、レールを前後２条としてそのそれぞれに複数の可動パネルを、開放時において前後の可動パネル同士が重なるように吊支するのが好ましい。
このようにすると、可動パネルの数を増やすことができるため、より大きな出入口が形成される。
【００１０】
上記空間形成用ローパーティション装置において、 パネルと複数の可動パネルとの左右長をほぼ等長として、開放時において パネルの前後又は左右いずれかの一方の面にほぼ完全に重なるようにするのが好ましい。
このようにすると、開放時に可動パネルが出入口に突出することがなく、大きな開放感が得られる。
【００１１】
上記空間形成用ローパーティション装置において、 パネル又は可動パネルの下部適所に、可動パネルの移動を案内する案内手段を設けるのが好ましい。
このようにすると、可動パネルが前後に振れることがなくなるので、安定的に開閉される。
【００１４】
【発明の実施の形態】
以下、本発明の実施形態を図面に基づいて説明する。図１は本発明の一実施形態としてのローパーティション装置の斜視図、図２はローパーティション装置の組合せによって形成された一実施形態としての部屋空間の斜視図、図３の（ａ）〜（ｃ）はローパーティション装置の開閉状態を示す平面断面図であり、図４は図１の側面図である。
【００１５】
先ず、図１において、１はローパーティション装置を示し、このローパーティション装置１は、左右方向に所要の間隔を設けて立設された平面視Ｌ字形のコーナーパネル２、３の一部によって左右両側に前面パネル１ａ、１ｂが形成され、前面パネル１ａ、１ｂ同士の上端部はレール１０によって連結され、前面パネル１ａ、１ｂ間で形成される開口部Ｗが開閉可能な可動パネルＰによって閉塞されるように構成されている。
【００１６】
可動パネルＰは、前後に配置される４枚のパネル単体１１ａ、１１ｂ、１２ａ、１２ｂから成り、これらパネル単体１１ａ、１１ｂ、１２ａ、１２ｂは、前面パネル１ａ、１ｂ上端部の前後に配置された後述する２条のレール１０にそれぞれ移動可能に２組づつ吊支され、それぞれ開閉方向に対向するパネル単体１１ａ、１１ｂとパネル単体１２ａ、１２ｂ同士が前後に重なるように構成されており、開放時においては、左右の前面パネル１ａ、１ｂにおける前後の面に沿う位置まで左右方向に移動可能に構成されている。
【００１７】
また、各パネル単体１１ａ、１１ｂ、１２ａ、１２ｂは、左右長が図３に示されるように、前面パネル１ａ、１ｂとほぼ等長に形成されており、開放時における前面パネル１ａ、１ｂの前後の面にほぼ完全に重なるように構成されている。
【００１８】
更に詳しくは、可動パネルＰを吊支するレール１０は、図４に示されるように前面パネル１ａ、１ｂ上端部の前後に並設される２条のレール１５、１６から成り、これら２条のレール１５は両前面パネル１ａ、１ｂ上端部前面に取付けられた複数箇所のブラケット１７により少なくとも両端が支持されている。
【００１９】
各パネル単体１１ａ、１１ｂの内側上端には、両側にブラケット１８が前面パネル１ａ、１ｂ側に向けてオフセットして取付けられ、これらブラケット１８の先端にはそれぞれ滑車１９が回転自在に軸支されている。
【００２０】
また、パネル単体１２ａ、１２ｂの内側上端の両側にも、それぞれ滑車２０が回転自在に軸支されている。
【００２１】
一方、各パネル単体１１ａ、１１ｂ、１２ａ、１２ｂの下面には、長手方向に案内溝２１及び２２が形成されており、両パネル単体１２ａ、１２ｂの案内溝２２は、左右の前面パネル１ａ、１ｂ両開口部Ｗ側の下方から前方にオフセットした案内手段としてコ字形に折曲形成されたガイド部材２３の先端にそれぞれ係合している。
【００２２】
また、パネル単体１１ａ、１１ｂの案内溝２１は、両パネル単体１２ａ、１２ｂの両開口部Ｗ側の下方からそれぞれ前方に突設してコ字形に折曲形成されたガイド部材２４の先端にそれぞれ係合している。
【００２３】
次に前述したように構成されたローパーティション装置の組合せによって構成される各種空間部屋について説明する。
【００２４】
図５の（ａ）〜（ｄ）にはローパーティション装置の組合せによって構成された空間部屋の各種実施形態が示されており、（ａ）に示される空間部屋Ｒ１は、４面に同一構成となるローパーティション装置１、４、８、９を配置したもので、前後及び左右に対向する４隅部をコーナーパネル２、３、５、６とし、その互いに対向する前面パネル１ａ、１ｂ、４ａ、４ｂ、８ａ、８ｂ、９ａ、９ｂ間でそれぞれ形成された各開口部Ｗを、２条のレール１５、１６に吊支された４枚のパネル単体１１ａ、１１ｂ、１２ａ、１２ｂにより閉塞することにより、前後左右の４面が囲まれ、かつ少なくとも１面が開放可能に形成されている。
【００２５】
また、（ｂ）に示される空間部屋Ｒ２は、３面にローパーティション装置１、４、９を配置し、他の１面を閉塞された固定壁面Ｋとして構成したもので、前後及び左右に対向する４隅部をコーナーパネル２、３、５、６とし、その互いに対向する前面パネル１ａ、１ｂ間並びに４ａ、４ｂ、９ａ、９ｂ間によって形成される３箇所の開口部Ｗは、２条のレール１５、１６に吊支されたパネル単体１１ａ、１１ｂ、１２ａ、１２ｂによって前及び左右の３面を閉塞することにより、後方に配置される固定壁面Ｋと併せて４面が囲まれた構成となっている。
【００２６】
更に、（ｃ）に示される空間部屋Ｒ３は、例えば隣り合う２面にローパーティション装置４、９を配置し、他の隣り合う２面を閉塞した固定壁面Ｋとして構成したもので、図２に斜視図として示されるように、前後及び左右に対向する３隅部をコーナーパネル３、５、６とし、その互いに対向する前面パネル４ａ、４ｂ、９ａ、９ｂ間に形成された２箇所の開口部Ｗは、パネル単体１１ａ、１１ｂ、１２ａ、１２ｂによって前面及び右面の２面を閉塞することにより、他の後面及び左面の２面に配置される固定壁面Ｋと併せて４面が囲まれた構成となっている。
【００２７】
そして、（ｄ）に示される空間部屋Ｒ４は、前側の１面にローパーティション装置４を配置し、他の隣り合う３面を閉塞した固定壁面Ｋとして構成したもので、左右に対向する２隅部をコーナーパネル３、５とし、その互いに対向する前面パネル４ａ、４ｂ間に形成された単一の開口部Ｗは、パネル単体１１ａ、１１ｂ、１２ａ、１２ｂによって閉塞することにより、他の後面及び左右面の３面に配置される固定壁面Ｋと併せて４面が囲まれた構成となっている。
【００２８】
次に、図６の（ａ）、（ｂ）にはローパーティション装置の組合せによって構成された他の実施形態としての空間部屋の平面図が示されており、本実施形態における空間部屋Ｒ５は、前側の１面にローパーティション装置４′を配置し、他の隣り合う３面を閉塞された固定壁面Ｋとして構成したものである。
【００２９】
本実施形態におけるローパーティション装置４′は、左右方向に所要の間隔を設けて立設された平面視Ｌ字形のコーナーパネル３、５の一部によって左右両側に前面パネル４′ａ、４′ｂが形成され、前面パネル４′ａ、４′ｂ同士の上端部は前記実施形態と同様に図示しない２条のレールによって連結され、前面パネル４′ａ、４′ｂ間で形成される開口部Ｗが引き違いによって構成される開閉可能な２枚のパネル単体２５ａ、２５ｂから成る可動パネルＰ′によって閉塞されるようになっている。
【００３０】
次に、図７の（ａ）、（ｂ）にはローパーティション装置の組合せによって構成された空間部屋の他の実施形態が示されており、この空間部屋Ｒ６は、前後に対向するパネルの中間部として、例えば後方のパネルの両側にはローパーティション装置３１、３２が配置され、これらローパーティション装置３１、３２は、平面視Ｌ字形のコーナーパネル２７、３０及び３０、２８において互いに対向する前面パネルの上端部同士を図示しないレールで連結し、両開口部Ｗが、各ローパーティション装置３１、３２の可動パネルＰにより閉塞されるように構成されている。
【００３１】
更に、前後の対向するパネルの中間には中間パネル３３ａ、３３ｂが内向き対向状に設けられ、それぞれＬ字形を合体したコーナーパネルからなる両中間パネル３３ａ、３３ｂ間の開口部Ｗは、前述したレールと同一構成の図示しないレールに吊支された４枚からなる可動パネルＰにより閉塞された構成となっており、これら可動パネルＰは（ａ）、（ｂ）に示されるように開閉可能に構成されている。
【００３２】
次に、前記のように構成された各種空間部屋を構築するためのローパーティションの機能につき説明する。
【００３３】
図７の（ａ）、（ｂ）に示されるように、空間部屋Ｒ６は、前後に対向するパネルの中間部として、例えば後方のパネルの両側にはローパーティション装置３１、３２が配置されると共に、空間部屋Ｒ６の内部中間は、ローパーティション装置３３によって仕切られ、各ローパーティション装置３１、３２及び３３を閉塞し、または必要に応じて開放して使用される。
【００３４】
このように構成された本発明のローパーティション装置によれば、複数の可動パネルＰがレールに吊支されているので、従来の連結構造のローパーティションに比して組立てや取外しが容易となる。
【００３５】
さらに、前後又は左右に対向する２隅部をコーナーパネルとし、その互いに対向する前面パネル３１ａ、３１ｂ、３２ａ、３２ｂ及び３３ａ、３３ｂ間に形成された開口部Ｗを、レールに吊支された複数の可動パネルＰにより閉塞することにより、左右の後面及び中間の面によって囲まれ、かつ少なくとも１面が開放可能な空間として形成されるので、空間の形成や大きさの変更が容易であるとともに、形成された空間の少なくとも１面を大きく開放し得るので、圧迫感がなくなる。
【００３６】
また、空間部屋Ｒ６の内部中間が、ローパーティション装置３３によって仕切られているので、空間を２分割したり大きくしたりすることを簡単に行うことができる。
【００３７】
そして、ローパーティション装置１、４、８、９ないし３１、３２、３３は、レールの長さや可動パネルＰの大きさを変えることにより、左右長を自在に変更することができる。
【００３８】
さらに、可動パネルＰは、開閉扉としての作用を有しているため、開放時において大きな出入口が形成され、大きな什器類の搬出入が可能となる。
【００３９】
開閉扉としての可動パネルＰは、図４に示されるように、前後２条のレール１５、１６によって吊支され、それぞれのレール１５、１６に複数のパネル単体１１ａ、１１ｂ、１２ａ、１２ｂが、開放時において前後のパネル単体１１ａ、１１ｂ及び１２ａ、１２ｂ同士が重なるように吊支されるので、パネル単体１１ａ、１１ｂ、１２ａ、１２ｂの数を増やすことができるため、より大きな出入口を形成することができる。
【００４０】
加えて、図３の（ａ）〜（ｃ）示されるように、前面パネル１ａ、１ｂと４枚のパネル単体１１ａ、１１ｂ、１２ａ、１２ｂとの左右長がほぼ等長に形成され、開放時においては、これらパネル単体１１ａ、１１ｂ、１２ａ、１２ｂが、前面パネル１ａ、１ｂの前後いずれかの一方の面にほぼ完全に重なるので、開放時にパネル単体１１ａ、１１ｂ、１２ａ、１２ｂが出入口に突出することがなくなり、大きな開放感を得ることができる。
【００４１】
更に、パネル単体１１ａ、１１ｂ、１２ａ、１２ｂは、下面に形成された案内溝２１、２２が、それぞれガイド部材２３及び２４に係合しているので、これらパネル単体１１ａ、１１ｂ、１２ａ、１２ｂの前後の振れがなくなり安定的に開閉することができる。
【００４２】
【発明の効果】
本発明によれば、次のような効果を奏する。
【００４３】
（ａ）請求項１に記載の発明によれば、複数の可動パネルをレールに吊支するだけでよいので、従来の連結構造のローパーティションに比して組立てや取外しが容易となる。
また、レールの長さや可動パネルの大きさを変えることにより、ローパーティションの左右長を自在に変更することができる。
さらに、可動パネルは開閉扉としての作用を有しているため、開放時において大きな出入口が形成され、大きな什器類の搬出入が可能となる。そして空間を２分割したり大きくしたりすることを簡単に行うことができる。
【００４４】
（ｂ）請求項２に記載の発明によれば、可動パネルの数を増やすことができるため、より大きな出入口が形成される。
【００４５】
（ｃ）請求項３に記載の発明によれば、開放時に可動パネルが出入口に突出することがなく、大きな開放感が得られる。
【００４６】
（ｄ）請求項４に記載の発明によれば、可動パネルが前後に振れることがなくなるので、安定的に開閉される。
【図面の簡単な説明】
【図１】本発明の一実施形態としてのローパーティション装置の斜視図である。
【図２】ローパーティション装置の組合せによって形成された一実施形態としての部屋空間の斜視図である。
【図３】（ａ）〜（ｃ）はローパーティション装置の開閉状態を示す平面断面図である。
【図４】図１の側面図である。
【図５】（ａ）〜（ｄ）はローパーティション装置の組合せによって構成された空間部屋の各種実施形態を示す平面図である。
【図６】（ａ）、（ｂ）はローパーティション装置の組合せによって構成された他の実施形態としての空間部屋の平面図である。
【図７】（ａ）、（ｂ）はローパーティション装置の組合せによって構成された空間部屋の他の実施形態が示す平面図である。
【図８】従来のローパーティションにより形成された部屋空間の斜視図である。
【符号の説明】
１、４、８、９        ローパーティション装置
１ａ、１ｂ            前面パネル
２、３、５、６        コーナーパネル
４ａ、４ｂ            前面パネル
４′ａ、４′ｂ        前面パネル
８ａ、８ｂ、９ａ、９ｂ前面パネル
１０                  レール
１１ａ  、１１ｂ        パネル単体
１２ａ、１２ｂ        パネル単体
１５、１６            レール
１７、１８            ブラケット
１９、２０            滑車
２１、２２            案内溝
２３、２４            ガイド部材
２５ａ 、２５ｂ        パネル単体
２７、２８、３０      コーナーパネル
３１、３２、３３      ローパーティション装置
３１ａ、３１ｂ        前面パネル
３２ａ、３２ｂ        前面パネル
３３ａ、３３ｂ        中間パネル
Ｋ                    固定壁面
Ｐ、Ｐ′              可動パネル
Ｒ１、Ｒ２、Ｒ３、Ｒ４空間部屋
Ｒ５、Ｒ６            空間部屋
Ｗ                    開口部
【図１】
0004510199.tif 000002
【図２】
0004510199.tif 000003
【図３】
0004510199.tif 000004
【図４】
0004510199.tif 000005
【図５】
0004510199.tif 000006
【図６】
0004510199.tif 000007
【図７】
0004510199.tif 000008
【図８】
0004510199.tif 000009